(57)【要約】【課題】強度維持の面、加工性の面、製造コスト及び材料コストの面等からみて合理的な構造を持ち、且つ更なる耐荷重性と安定感を得る事のできる構造を持つサッシ枠固定金具の提供。【解決手段】全長に亘ってＵ字状の断面形状を有する棒状を呈し、その折り返し部１の両端から延出し間隙を隔てて対称的に起立する二列の突っ張り壁２を備え、両突っ張り壁２の両端部に、前記サッシ枠３の袋部の内側面に対向して設けられた一対の内向凸縁４を挟む挟持溝５を同様に設け、各挟持溝５を前記突っ張り壁２の端部から当該突っ張り壁２の長手方向内側へ向けて先窄まりとし、当該挟持溝５の幅を、最端部の幅が一般的な前記内向凸縁４の厚みよりも十分に広く且つ内側の最深部の幅が一般的な前記内向凸縁４の厚みよりも十分に狭くし、各突っ張り壁２に形成された前記一対の挟持溝５の最深部間の距離を前記一対の内向凸縁４の先端間の距離とほぼ等しくしたサッシ枠固定金具。【選択図】      図１
2005060924.tif 000002
【特許請求の範囲】
【請求項１】
全長に亘ってＵ字状の断面形状を有する棒状を呈し、その折り返し部（１）の両端から延出し間隙を隔てて対称的に起立する二列の突っ張り壁（２，２）を備え、両突っ張り壁（２，２）の両端部に、前記サッシ枠（３）の袋部（６）の内側面に対向して設けられた一対の内向凸縁（４，４）を挟む挟持溝（５，５，５，５）を同様に設け、各挟持溝（５）を前記突っ張り壁（２）の端部から当該突っ張り壁（２）の長手方向内側へ向けて先窄まりとし、当該挟持溝（５）の幅を、最端部の幅が前記内向凸縁（４）の厚みよりも十分に広く且つ内側の最深部の幅が前記内向凸縁（４）の厚みよりも十分に狭くし、各突っ張り壁（２）に形成された前記一対の挟持溝（５，５）の最深部間の距離を前記一対の内向凸縁（４，４）の先端間の距離とほぼ等しくしたサッシ枠固定金具。
【請求項２】
前記二列の突っ張り壁（２，２）のうちの一方の突っ張り壁（２）の中央部が当該突っ張り壁（２）の両端部から分離し他方の突っ張り壁（２）の中央部から延出してなるアンカ（８）固定用の連結代（９）を備えた前記請求項１に記載のサッシ枠固定金具。
【発明の詳細な説明】
【０００１】
【発明が属する技術分野】
本発明は、建造物外壁の開口部に定着されたアンカとサッシ枠とを連結するサッシ枠固定金具に関する。
【０００２】
鉄筋・鉄骨コンクリート建造物の外壁開口部にサッシを取り付ける場合には、固定金具の連結部とサッシ枠の裏面に設けられた内向凸縁とを噛み合わせ、前記固定金具を建造物の外壁開口部にまで突出する鉄筋やアンカ（以下、アンカ等と記す。）に固着するという手段が採られている。
【０００３】
【発明が解決しようとする課題】
従来、例えば、サッシ枠を躯体開口部内に固定するためのサッシ枠固定金具に、サッシ枠の室内側あるいは室外側に延出する第１延出片と、この第１延出片と同じ側に延出する第２延出片から成る連結部を設け、サッシ周辺部材の端部を第１延出片と第２延出片の間に差し込むことによって仮止め状態に保持する手法（例えば、図４及び特許文献１参照）が紹介されていたが、上記従来の構造では、耐荷重性を高める要素である平部材の厚みが加工性を悪化させる要素となり、挟持する為の部位が支持する方向と等しい向きへの曲げ成形によって形作られている点も支持強度の信頼性を低下させる要素となるという問題があった。
【０００４】
そこで、建造物外壁の開口部に定着されたアンカに固着される基部の左右両側にサッシ枠を保持する連結部がそれぞれ形成され、当該連結部が、サッシ枠の裏面に設けられた袋部の左右内側面を押圧する突っ張り構造と、前記袋部の内側面下部に設けられた内向凸縁を挟む挟持構造を具備し、当該挟持構造が前記平部材の側縁に形成した切欠部を前記内向凸縁が嵌まる挟持溝とする本願出願人が案出した構造（特許文献２参照）を採用し上記問題点を解決するに至ったものの、依然、大規模なサッシ枠となると、更なる耐荷重性及び安定性が求められるところであった。
【０００５】
【特許文献１】
特開平１１−３０３５１３号公報
【特許文献２】
特開２００１−２４８３６０号公報
【０００６】
本発明は、上記実情に鑑みてなされたものであって、耐荷重性を高める要素である平部材の厚みが加工性を顕著に悪化させる要素とはならず、強度維持の面、加工性の面、製造コスト及び材料コストの面等からみて合理的な構造を持ち、且つ更なる耐荷重性と安定感を得る事のできる構造を持つサッシ枠固定金具の提供を目的とする。
【０００７】
【課題を解決するための手段】
上記課題を解決する為になされた本発明によるサッシ枠固定金具は、全長に亘ってＵ字状の断面形状を有する棒状を呈し、その折り返し部の両端から延出し間隙を隔てて対称的に起立する二列の突っ張り壁を備え、両突っ張り壁の両端部に、前記サッシ枠の袋部の内側面に対向して設けられた一対の内向凸縁を挟む挟持溝を同様に設け、各挟持溝を前記突っ張り壁の端部から当該突っ張り壁の長手方向内側へ向けて先窄まりとし、当該挟持溝の幅を、最端部の幅が一般的な前記内向凸縁の厚みよりも十分に広く且つ内側の最深部の幅が一般的な前記内向凸縁の厚みよりも十分に狭くし、各突っ張り壁に形成された前記一対の挟持溝の最深部間の距離を前記一対の内向凸縁の先端間の距離とほぼ等しくしたことを特徴とする。
【０００８】
更に、前記二列の突っ張り壁のうちの一方の突っ張り壁の中央部が当該突っ張り壁の両端部から分離し他方の突っ張り壁の中央部から延出してなるアンカ固定用の連結代を備えたサッシ枠固定金具としても良い。尚、Ｕ字状とは、Ｖ字形やコ字形を含む。前記折り返し部は、平板を曲げ加工して得られたものでも良いし、予め折り返した形に成形して得られたものでも良い。素材には、サッシ枠固定金具たりえる素材を選択すれば良い。
【０００９】
【発明の実施の形態】
以下、本発明によるサッシ枠固定金具の実施の形態を図面に基づき説明する。図１乃至図３に示す実施の形態は、防錆メッキを施した鉄製の長方形平部材を、その短辺の両端を合わせる方向へＵ字状に折り曲げて棒状に形成したものである。当該例では、厚み：約２ｍｍの平板を用いたが適宜設計変更可能である。
【００１０】
上記の如く成形したことにより、その折り返し部１の両端から、当該折り返しによって必然的に形成された間隙７を隔てて対称的に二列の突っ張り壁２，２が延出し、ほぼ平行に起立することとなる。前記突っ張り壁２の側面や折り返し部１に当たる下面は、建造物外壁の開口部に定着されたアンカに固着される部分であり、図３（イ）（ロ）の如く鉛直或いは水平に設定されたアンカ８に溶着する場合には、その溶着箇所たる突っ張り壁２の幅を、鉛直方向に突出したアンカ８に対する十分な溶着長を確保できる幅に設定する必要がある。
【００１１】
尚、必要に応じて、前記二列の突っ張り壁２，２のうちの一方の突っ張り壁２の中央部が当該突っ張り壁２の両端部から分離し他方の突っ張り壁２の中央部から、同じ方向に或いは向きを変えて延出してなるアンカ８固定用の連結代９を備えたサッシ枠固定金具としても良い。例えば、図５の如く前記他方の突っ張り壁２の中央部から同じ方向に延出してなる連結代９を設けた場合には、鉛直方向へ設定されたアンカ８と好適に連結することができ、図６の如く前記他方の突っ張り壁２の中央部から直角方向へ延出してなる連結代９を設けた場合には、水平に設定されたアンカ８と好適に連結することが出来る。
【００１２】
前記両突っ張り壁２，２の両端部には、前記サッシ枠３の袋部６の内側面に対向して設けられた一対の内向凸縁４，４を挟む為に、各突っ張り壁２，２における各端部のほぼ同じ位置にほぼ同形状で挟持溝５，５，５，５が設けられ、一本のサッシ枠取付金具に設けられた各端部二つずつの挟持溝５，５を以て、前記一対の内向凸縁４，４をそれぞれを当該サッシ枠３の長手方向の二点で上下の振れ無く挟み（図１（ハ）及び図２参照）、各サッシ枠固定金具毎に、一つの仮想平面に含まれる四点を以て安定した支持が出来る様にされている。
【００１３】
また、各挟持溝５は、前記突っ張り壁２の各端部から突っ張り壁の長手方向の内側へ向けて先窄まりとなっており、当該挟持溝５の幅は、前記突っ張り壁における最端部に位置する幅が一般的な前記内向凸縁の厚みよりも十分に広く、最も内側に位置する最深部の幅が一般的な前記内向凸縁の厚みよりも十分に狭くされている。この様な挟持溝５の構造によって、前記一対の内向凸縁４の多様な厚みに対応することができるのみならず（図１（イ）（ロ）参照）、前記内向凸縁４の先端部に対する加圧面積が小さい為にことから、前記長手方向における二カ所の支持点においてそれぞれ強い挟持力を得ることが出来る。
【００１４】
更に、各突っ張り壁２に形成された一対の挟持溝５，５の最深部間の距離が、前記一対の内向凸縁４，４の先端間の距離とほぼ等しくされており、支持する際に前記一対の内向凸縁４，４の先端間を前記サッシ枠３の弾性を利用して、僅かに拡幅する状態となるので、この様な寸法設定と前記挟持溝５の形状とが相俟って、前記サッシ枠３との強固な連結を実現することが可能となっている。
【００１５】
【発明の効果】
以上の如く本発明によるサッシ枠固定金具は、前記突っ張り壁として平部材を立てた形で存在するので、平部材を伏せて使用する形態と比較して平部材の厚みが耐荷重性に大きく影響せず、更に、前記折り返し部を介して二列の突っ張り壁が起立するという形で、全体としてあたかもリブ構造の様に立体的に支持し合う加工がなされているので、比較的薄い平板を用いたとしても従来と比較して強い強度を得ることができる。
【００１６】
また、一本のサッシ枠取付金具に設けられた各端部二つずつの挟持溝を以て、前記一対の内向凸縁をそれぞれを当該サッシ枠の長手方向の二点で上下の振れ無く挟み、各サッシ枠固定金具毎に一つの仮想平面に含まれる四点を以て安定した支持が出来る様にされているので、たとえ隣接するサッシ枠固定金具の固定状態が劣化したとしても、それによって受ける影響が比較的少なく、全体として安定した固定状態を保つことが出来る。
【００１７】
更に、各挟持溝を前記突っ張り壁の端部から当該突っ張り壁の長手方向内側へ向けて先窄まりとし、当該挟持溝の幅を、最端部の幅が一般的な前記内向凸縁の厚みよりも十分に広く且つ内側の最深部の幅が一般的な前記内向凸縁の厚みよりも十分に狭くし、各突っ張り壁に形成された前記一対の挟持溝の最深部間の距離を前記一対の内向凸縁の先端間の距離とほぼ等しくすることによって、比較的硬直性の強い構造でありながら、サッシ枠の袋部に与えられている弾性を有効に利用し、且つ挟持溝のスロープ形状とされた縁の一部といった極小さい加圧面積で複数箇所を支持することとなり、長期間にわたって緩み無くサッシ枠を固定出来ることとなる。
【００１８】
而して、本発明によるサッシ枠固定金具は、上記の如く、機能性、生産性並びにコスト性に優れた合理的な構造から建築の分野において顕著な実用効果が期待できると共に、更なる耐荷重性及び安定性を実現し得ることとなった。
【図面の簡単な説明】
【図１】（イ）（ロ）（ハ）
（イ）（ロ）は本発明によるサッシ枠固定金具の一例を示す正面から見た説明図、（ハ）は本発明によるサッシ枠固定金具の一例を示す下方から見た説明図である。
【図２】本発明によるサッシ枠固定金具の一例を示す側方から見た説明図である。
【図３】（イ）（ロ）
本発明によるサッシ枠固定金具の実施態様例を示す説明図である。
【図４】（イ）（ロ）
（イ）は従来のサッシ枠固定金具の一例を示す正面から見た説明図、（ロ）は従来のサッシ枠固定金具の一例を示す下方から見た説明図である。
【図５】（イ）（ロ）
（イ）は本発明によるサッシ枠固定金具の一例を示す正面から見た説明図、（ロ）は本発明によるサッシ枠固定金具の一例を示す下方から見た説明図である。
【図６】（イ）（ロ）
（イ）は本発明によるサッシ枠固定金具の一例を示す正面から見た説明図、（ロ）は本発明によるサッシ枠固定金具の一例を示す下方から見た説明図である。
【符号の説明】
１  折り返し部，２  突っ張り壁，３  サッシ枠，４  内向凸縁，
５  挟持溝，６  袋部，７  間隙，８  アンカ，９  連結代，
【図１】
2005060924.tif 000003
【図２】
2005060924.tif 000004
【図３】
2005060924.tif 000005
【図４】
2005060924.tif 000006
【図５】
2005060924.tif 000007
【図６】
2005060924.tif 000008